(57)【要約】      （修正有）【課題】印刷物イメージが表示部に表示された状態のまま、操作者の操作により文字列等の配置を修正可能なテープ印字装置を提供する。【解決手段】印字ラベル作成装置は、サーマルヘッドと、ラベルイメージＭを表示する液晶パネル５Ａと、液晶パネル５Ａの直上に設けられたタッチパネル部５Ｂとを有し、表示されたラベルイメージＭに含まれる文字列又はブロックに対応したタッチパネル部５Ｂの文字列領域若しくはブロック領域への接触がなされたか否かを判定し、当該接触がなされた文字列領域又はブロック領域に対し、他の文字列領域又は他のブロック領域若しくはそれらの周囲領域への移動操作がなされたか否かを判定し、移動操作に係わる文字列又はブロックを当該移動操作に対応した態様で移動した新たなラベルイメージＭを生成し、生成され液晶パネル５Ａに表示された新たなラベルイメージＭに対応した印刷物を生成する。【選択図】図６
2014133370.tif 000002
【特許請求の範囲】
【請求項１】
被印字テープに対し文字列を印字形成して印刷物を作成するテープ印字装置であって、
前記被印字テープを搬送させるための搬送手段と、
前記搬送手段により搬送される前記被印字テープに対し所望の印字を形成し前記印刷物を生成する印字手段と、
前記印刷物に印字形成する前記文字列の編集操作を受け付ける編集受付手段と、
前記編集受付手段が受け付けた前記編集操作に基づき、前記文字列がテープ幅方向に少なくとも１行含まれる少なくとも１つのブロックが配置された、印刷物イメージを生成する第１イメージ生成手段と、
前記第１イメージ生成手段により生成された前記印刷物イメージを表示する表示部と、
前記表示部の直上に設けられ、当該表示部での表示を透かした状態で操作入力を実行可能な可能な操作部と、
前記操作部への接触による前記操作入力を検出する検出手段と、
前記検出手段の検出結果に基づき、前記表示部に前記印刷物イメージが表示された状態で、当該表示された印刷物イメージに含まれる前記文字列に対応した前記操作部の文字列領域、若しくは、当該表示された印刷物イメージに含まれる前記ブロックに対応した前記操作部のブロック領域への、接触がなされたか否かを判定する接触判定手段と、
前記接触判定手段により前記文字列領域若しくは前記ブロック領域への接触がなされたと判定された場合に、前記検出手段の検出結果に基づき、当該接触がなされた前記文字列領域又は前記ブロック領域に対し、他の文字列領域又は他のブロック領域若しくはそれらの周囲領域への移動操作がなされたか否かを判定する移動操作判定手段と、
前記移動操作判定手段により前記移動操作がなされたと判定された場合に、前記第１イメージ生成手段により生成された印刷物イメージに対し、前記移動操作に係わる前記文字列又は前記ブロックを当該移動操作に対応した態様で移動した、新たな印刷物イメージを生成する第２イメージ生成手段と、
前記搬送手段及び前記印字手段を制御して、前記第２イメージ生成手段により生成され前記表示部に表示された前記新たな印刷物イメージに対応した前記印刷物を生成する、印刷制御手段と、
を有することを特徴とするテープ印字装置。
【請求項２】
請求項１記載のテープ印字装置において、
前記第１イメージ生成手段は、
前記接触判定手段により前記文字列領域への接触がなされたと判定された場合、当該接触された文字列領域に対応した文字列を各行ごとに包含する第１枠線を含む前記印刷物イメージを生成し、
前記表示部は、
前記第１枠線を含む前記印刷物イメージを表示する
ことを特徴とするテープ印字装置。
【請求項３】
請求項１又は請求項２記載のテープ印字装置において、
前記第１イメージ生成手段は、
前記接触判定手段により前記ブロック領域への接触がなされたと判定された場合、当該接触されたブロック領域に対応したブロックを包含する第２枠線を含む前記印刷物イメージを生成し、
前記表示部は、
前記第２枠線を含む前記印刷物イメージを表示する
ことを特徴とするテープ印字装置。
【請求項４】
請求項２又は請求項３記載のテープ印字装置において、
前記第２イメージ生成手段は、
前記移動した文字列を各行ごとに包含する前記第１枠線を含む前記新たな前記印刷物イメージ、又は、前記移動したブロックを包含する前記第２枠線を含む前記新たな印刷物イメージ、を生成する
ことを特徴とするテープ印字装置。
【請求項５】
請求項１乃至請求項４のいずれか１項記載のテープ印字装置において、
前記第２イメージ生成手段は、
前記移動操作判定手段により、前記接触がなされた前記ブロック領域に対し、前記他のブロック領域内への移動操作がなされたと判定された場合、前記接触がなされたブロック領域に対応したブロックに含まれるすべての文字列の行を、前記他のブロック領域に対応した他のブロック内に含まれる文字列の行とは別の行として当該他のブロック内に追加した、前記新たな印刷物イメージを生成することを特徴とするテープ印字装置。
【請求項６】
請求項１乃至請求項４のいずれか１項記載のテープ印字装置において、
前記第２イメージ生成手段は、
前記移動操作判定手段により、前記接触がなされた前記文字列領域に対し、前記他のブロック領域内への移動操作がなされたと判定された場合、前記接触がなされた文字列領域に対応した文字列の行を、前記他のブロック領域に対応した他のブロック内に含まれる文字列の行とは別の行として当該他のブロック内に追加した、前記新たな印刷物イメージを生成することを特徴とするテープ印字装置。
【請求項７】
請求項１乃至請求項４のいずれか１項記載のテープ印字装置において、
前記第２イメージ生成手段は、
前記移動操作判定手段により、前記接触がなされた前記文字列領域に対し、前記他のブロック領域内への移動操作がなされたと判定された場合、前記接触がなされた文字列領域に対応した文字列の行を、前記他のブロック領域に対応した他のブロック内に含まれる１つの文字列の追加部分として合体した、前記新たな印刷物イメージを生成することを特徴とするテープ印字装置。
【請求項８】
請求項１乃至請求項４のいずれか１項記載のテープ印字装置において、
前記第２イメージ生成手段は、
前記移動操作判定手段により、前記接触がなされた前記文字列領域に対し、隣接する２つのブロック領域どうしの間への移動操作がなされたと判定された場合、前記接触がなされた文字列領域に対応した文字列の行により新たなブロックを生成し、当該新たなブロックを、前記隣接する２つのブロック領域それぞれに対応した２つのブロックの間に挿入した、前記新たな印刷物イメージを生成することを特徴とするテープ印字装置。
【請求項９】
被印字テープに対し文字列を印字形成して印刷物を作成するテープ印字装置に接続可能に構成され、所望の表示を行う表示部と、前記表示部の直上に設けられ当該表示部での表示を透かした状態で操作入力を実行可能な可能な操作部と、前記操作部への接触による前記操作入力を検出する検出手段と、を有する操作端末が実行する操作端末の操作表示方法であって、
前記印刷物に印字形成する前記文字列の編集操作を受け付ける編集受付手順と、
前記編集受付手順で受け付けた前記編集操作に基づき、前記文字列がテープ幅方向に少なくとも１行含まれる少なくとも１つのブロックが配置された、印刷物イメージを生成して前記表示部に表示する第１イメージ表示手順と、
前記検出手段の検出結果に基づき、前記表示部に前記印刷物イメージが表示された状態で、当該表示された印刷物イメージに含まれる前記文字列に対応した前記操作部の文字列領域、若しくは、当該表示された印刷物イメージに含まれる前記ブロックに対応した前記操作部のブロック領域への、接触がなされたか否かを判定する接触判定手順と、
前記接触判定手順で前記文字列領域若しくは前記ブロック領域への接触がなされたと判定された場合に、前記検出手段の検出結果に基づき、当該接触がなされた前記文字列領域又は前記ブロック領域に対し、他の文字列領域又は他のブロック領域若しくはそれらの周囲領域への移動操作がなされたか否かを判定する移動操作判定手順と、
前記移動操作判定手順により前記移動操作がなされたと判定された場合に、前記第１イメージ表示手順で生成された印刷物イメージに対し、前記移動操作に係わる前記文字列又は前記ブロックを当該移動操作に対応した態様で移動した、新たな印刷物イメージを生成して前記表示部に表示する第２イメージ表示手順と、
前記第２イメージ表示手順で生成され前記表示部に表示された前記新たな印刷物イメージに対応した印字データを、前記テープ印字装置へ出力する、印字データ出力手順と、
を有することを特徴とする操作表示方法。
【発明の詳細な説明】
【技術分野】
【０００１】
本発明は、被印字テープに所望の印字を形成するテープ印字装置、及び、テープ印字装置を操作する操作端末の操作表示方法に関する。
【背景技術】
【０００２】
被印字テープ（透明フィルム）に対し文字列を印字形成することで印刷物（ラベル）を作成するテープ印字装置が知られている（例えば、特許文献１参照）。この従来技術では、文字列がテープ幅方向に複数行配置された、上記印刷物を作成可能となっている。すなわち、表示部（液晶ディスプレイ）に所定の編集画面が表示された状態で、操作者がキーボード等の操作部を介し所望の編集操作を行う。その後、操作者が上記操作部を介しプレビュー指示を入力することで、表示部の表示がプレビュー画面に移行し、上記編集結果に対応した印刷物イメージが表示される。そして、さらに操作者が操作部を介し印刷実行指示を入力することにより、上記印刷物イメージに対応した印刷物が作成される。
【先行技術文献】
【特許文献】
【０００３】
【特許文献１】特開平５−１７７９０５号公報
【発明の概要】
【発明が解決しようとする課題】
【０００４】
操作者が、上記編集操作後に上記プレビュー画面に表示された印刷物イメージを見たとき、例えば文字列等の配置を修正したい場合があり得る。しかしながら、このような場合、操作者は、表示部の表示を上記プレビュー画面から上記編集画面に戻してから前述の編集操作をやり直す必要があった。仮にプレビュー画面において印刷物イメージが表示された状態のまま、上記文字列等の修正を行うことができれば、非常に便利であるが、上記従来技術ではそのような点までの配慮は特になされていなかった。
【０００５】
本発明の目的は、印刷物イメージが表示部に表示された状態のまま、操作者の操作により文字列等の配置を修正できる、テープ印字装置、及び、操作端末の操作表示方法を提供することにある。
【課題を解決するための手段】
【０００６】
上記目的を達成するために、本願発明は、被印字テープに対し文字列を印字形成して印刷物を作成するテープ印字装置であって、前記被印字テープを搬送させるための搬送手段と、前記搬送手段により搬送される前記被印字テープに対し所望の印字を形成し前記印刷物を生成する印字手段と、前記印刷物に印字形成する前記文字列の編集操作を受け付ける編集受付手段と、前記編集受付手段が受け付けた前記編集操作に基づき、前記文字列がテープ幅方向に少なくとも１行含まれる少なくとも１つのブロックが配置された、印刷物イメージを生成する第１イメージ生成手段と、前記第１イメージ生成手段により生成された前記印刷物イメージを表示する表示部と、前記表示部の直上に設けられ、当該表示部での表示を透かした状態で操作入力を実行可能な可能な操作部と、前記操作部への接触による前記操作入力を検出する検出手段と、前記検出手段の検出結果に基づき、前記表示部に前記印刷物イメージが表示された状態で、当該表示された印刷物イメージに含まれる前記文字列に対応した前記操作部の文字列領域、若しくは、当該表示された印刷物イメージに含まれる前記ブロックに対応した前記操作部のブロック領域への、接触がなされたか否かを判定する接触判定手段と、前記接触判定手段により前記文字列領域若しくは前記ブロック領域への接触がなされたと判定された場合に、前記検出手段の検出結果に基づき、当該接触がなされた前記文字列領域又は前記ブロック領域に対し、他の文字列領域又は他のブロック領域若しくはそれらの周囲領域への移動操作がなされたか否かを判定する移動操作判定手段と、前記移動操作判定手段により前記移動操作がなされたと判定された場合に、前記第１イメージ生成手段により生成された印刷物イメージに対し、前記移動操作に係わる前記文字列又は前記ブロックを当該移動操作に対応した態様で移動した、新たな印刷物イメージを生成する第２イメージ生成手段と、前記搬送手段及び前記印字手段を制御して、前記第２イメージ生成手段により生成され前記表示部に表示された前記新たな印刷物イメージに対応した前記印刷物を生成する、印刷制御手段と、を有することを特徴とする。
【０００７】
本願発明のテープ印字装置は、被印字テープに対し文字列を印字形成することで印刷物を作成する。すなわち、操作者が上記印字形成する文字列の編集操作を行うと、その編集操作が編集受付手段によって受け付けられる。この編集操作に基づき、第１イメージ生成手段が印刷物イメージを生成し、表示部において表示される。
【０００８】
このとき表示される印刷物イメージには、少なくとも１つのブロックが含まれている。各ブロックには、文字列がテープ幅方向に少なくとも１行配置されている。この編集操作後に表示される印刷物イメージを見たとき、操作者が、文字列やブロックの配置を修正したい場合があり得る。印刷物イメージが表示部に表示された状態のまま、上記修正を行うことができれば、非常に便利である。
【０００９】
本願発明の印刷装置では、上記に対応し、操作部と、検出手段とが設けられている。操作部は表示部の直上に設けられており、表示部での表示を透かした状態で操作入力を実行することができる。検出手段は、このときの操作部への接触による操作入力を検出することができる。
【００１０】
そして、上述のように、操作者が、表示される印刷物イメージに含まれる文字列やブロックの配置を修正したい場合には、まず操作者は、操作部において、移動させたい文字列（又はブロック）の直上を指先や適宜の操作具により接触する。これにより、接触判定手段により、上記文字列に対応する文字列領域（又はブロックに対応するブロック領域）に対する接触がなされたと判定される。その後、操作者は、上記接触した文字列（又はブロック）を、移動させたい別の文字列やブロック又はその周囲へと移動させる操作（いわゆるドラッグ操作）を行う。これにより、移動操作判定手段により、接触がなされた文字列領域（又はブロック領域）に対し、他の文字列領域又は他のブロック領域若しくはそれらの周囲領域への移動操作がなされたと判定される。すると、第２イメージ生成手段が、移動前のもとの印刷イメージ（第１イメージ生成手段が生成した印刷イメージ）に基づき、上記移動操作された文字列又はブロックを当該移動操作に対応した態様で移動した新たな印刷物イメージを生成する。このようにして、操作者は、印刷物イメージを表示させた状態で、そのイメージを見ながら、文字列やブロックを自らが意図する位置に移動させ、配置を修正することができる。そして、印刷制御手段が搬送手段及び印字手段を制御することで、上記修正後の印刷物イメージに対応した印刷物が生成される。
【００１１】
以上のように、本願発明によれば、印刷物イメージが表示部に表示された状態のまま、操作者の接触操作により文字列やブロックの配置を修正することができる。この結果、操作者の利便性を向上することができる。
【発明の効果】
【００１２】
本発明によれば、印刷物イメージが表示部に表示された状態のまま、操作者の操作により文字列等の配置を修正することができる。
【図面の簡単な説明】
【００１３】
【図１】本発明の一実施形態の印字ラベル作成装置の外観を示す斜視図である。
【図２】印字ラベル作成装置の平面図である。
【図３】液晶パネルにおけるラベルイメージの表示例を表す説明図である。
【図４】カートリッジの内部構造を模式的に表す拡大平面図である。
【図５】印字ラベル作成装置の制御系を表す概念図である。
【図６】タッチパネル部での操作による、ラベルイメージ中のブロックの移動の様子を説明する説明図である。
【図７】タッチパネル部での操作による、ラベルイメージ中の文字列の移動の様子を説明する説明図である。
【図８】タッチパネル部での操作による、ラベルイメージ中の文字列の移動の様子を説明する説明図である。
【図９】タッチパネル部での操作による、ラベルイメージ中の文字列の移動の様子を説明する説明図である。
【図１０】タッチパネル部での操作による、ラベルイメージ中の文字列の移動の様子を説明する説明図である。
【図１１】タッチパネル部での操作による、ラベルイメージ中のブロックの移動の様子を説明する説明図である。
【図１２】タッチパネル部での操作による、ラベルイメージ中の文字列の移動の様子を説明する説明図である。
【図１３】タッチパネル部での操作による、ラベルイメージ中の文字列の移動の様子を説明する説明図である。
【図１４】制御回路が実行する処理手順を表すフローチャートである。
【図１５】図１４のステップＳ２２の詳細手順を表すフローチャートである。
【図１６】図１４のステップＳ２０の詳細手順を表すフローチャートである。
【図１７】図１４のステップＳ３０の詳細手順を表すフローチャートである。
【図１８】図１４のステップＳ３２の詳細手順を表すフローチャートである。
【図１９】図１４のステップＳ３８の詳細手順を表すフローチャートである。
【図２０】図１４のステップＳ４０の詳細手順を表すフローチャートである。
【図２１】図１４のステップＳ１００の詳細手順を表すフローチャートである。
【図２２】携帯操作端末に適用した変形例における、当該携帯操作端末の正面図である。
【図２３】テンプレートに適用した変形例を表す説明図である。
【発明を実施するための形態】
【００１４】
以下、本発明の一実施の形態を図面を参照しつつ説明する。本実施形態では、本発明を印字ラベル作成装置に適用した場合について示す。
【００１５】
＜印字ラベル作成装置の概略構成＞
図１及び図２に示すように、印字ラベル作成装置１（テープ印字装置に相当）は、外郭を構成する筐体１Ａを備えている。筺体１Ａは、装置下面及び装置側面を構成する樹脂製の下カバー１５と、装置上面を構成する樹脂製の上カバー１７とからなる。上カバー１７は、後部側にカートリッジボルダ９（後述の図４参照）を覆うカートリッジカバー１７ａを備え、カートリッジカバー１７ａは、後端部を支点として開閉可能である。上カバー１７の前部側には、カートリッジカバー１７ａに隣接した例えば矩形状の開口縁部６が設けられている。開口縁部６の内側には、液晶パネル５Ａ（表示部に相当。後述の図５も参照）が設けられると共に、その直上に、上記液晶パネル５Ａの表示内容を透かした状態で視認しつつ操作者が所望の操作入力を行える、タッチパネル部５Ｂ（操作部に相当）が配置されている。開口縁部６の周囲には操作キー部２が設けられている。操作キー部２には、上カバー１７の前方向から後方向に向けて、文字入力等の種々の操作が行われるキーボード３と、電源スイッチや上下左右キー等の印字ラベル作成装置１の各種機能を実行させるための機能キー群４とが配置されている。機能キー群４は、例えば、開口縁部６の右側位置の電源ボタン４ｆやその下側位置の上下左右キー４ｄ等を含む。
【００１６】
筺体１Ａの内部には、例えばタッチパネル部５Ｂの下側に、後述の制御回路２１０（後述の図５参照）等を構成する電子素子（ＩＣチップ等）を実装した図示しないメイン基板と、メイン基板の上記制御回路２１０にコネクタを介して接続された図示しないキー基板とが設けられている。キー基板は、上記キーボード３及び機能キー群４を構成する各キーに対応する複数のキー用接点を有し、操作者がキーボード３及び機能キー群４の各キーを操作した際にキー用接点が閉成され、これにより各キーに割り当てられた機能が実行される。
【００１７】
例えば操作者は、キーボード３と上下左右キー４ｄ等を使用し、液晶パネル５Ａに表示されタッチパネル部５Ｂ越しに視認される（以下適宜、単に「液晶パネル５Ａに表示される」という）入力位置を変えながら、文字やラベルの外形線等を入力して編集を行う。図３の例では、上記編集後の状態の一例を表しており、液晶パネル５Ａ上に、ラベルイメージＭ（印刷イメージに相当。この例では、文字「ＡＢＣ」の印字イメージＲ、及び、印字イメージＲを囲む長方形のラベル外形線イメージＱ）が表示されている。このようにして編集されたラベルイメージＭは、制御回路２１０のラベルイメージメモリ２２０（後述の図５参照）に記憶される。なお、図３において、液晶パネル５ＡのうちラベルイメージＭの下側には、上記ラベルイメージＭを用いて生成される印字ラベルの大きさ寸法Ｎ（この例では幅１２ｍｍ、長さ３０ｍｍ）が表示されている。
【００１８】
＜カートリッジホルダ及びカートリッジ＞
筺体１Ａのカートリッジカバー１７ａの内側には、図４に示すように、印字済みラベル用テープ１０９を供給するためのカートリッジ８が着脱可能な上記カートリッジホルダ９が設けられている。このカートリッジホルダ９は、上記カートリッジカバー１７ａによって常には閉塞されており、カートリッジカバー１７ａを開放するとカートリッジホルダ９が露出される。カートリッジホルダ９には、カートリッジ８内の使用済みのインクリボン１０５を巻き取るためのリボン巻取りローラ駆動軸１０７と、カートリッジ８内のカバーフィルム１０３（被印字テープに相当）を搬送するためのテープ送りローラ駆動軸１０８（搬送手段に相当）とが設けられている。またカートリッジホルダ９には、カバーフィルム１０３に所望の印字形成を行うサーマルヘッド２３（印字手段に相当）が、カートリッジ８の装着時にその開口部に位置するように設けられている。サーマルヘッド２３は、カバーフィルム３の搬送方向と直交する方向に配列された複数の発熱素子２３ａ（後述の図５参照）を備え、カバーフィルム３を搬送方向に印字解像度に分割してなる各印字ライン上に少なくとも各ドットを形成することにより、カバーフィルム３への印字を行う。
【００１９】
カートリッジ８は、筐体８Ａと、この筐体８Ａ内に配置され、帯状の基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、上記インクリボン１０５（熱転写リボン、但し被印字テープが感熱テープの場合は不要）が巻回されたリボン供給側ロール１１１と、印字後のインクリボン１０５を巻取るリボン巻取りローラ１０６と、カートリッジ８のテープ排出部の近傍に回転可能に支持された送りローラ２７とを有する。
【００２０】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記カバーフィルム１０３を巻回している。
【００２１】
送りローラ２７は、上記基材テープ１０１と印字形成後の上記カバーフィルム１０３とを押圧して搬送しつつ接着させて上記印字済みラベル用テープ１０９とし、得られる印字済みラベル用テープ１０９を図４中矢印Ａで示す方向に搬送する。なお、リボン巻取りローラ１０６及び送りローラ２７は、ローラ駆動用モータ２０８（後述の図５参照）の駆動力が上記リボン巻取りローラ駆動軸１０７及びテープ送りローラ駆動軸１０８に伝達されることによって、連動して回転駆動される。なお、この回転駆動の際、サーマルヘッド２３に対向配置されるプラテンローラ２６や、送りローラ２７に対向配置される圧着ローラ２８も同様に回転する。
【００２２】
また、印字済みラベル用テープ１０９の搬送経路に沿って送りローラ２７及び圧着ローラ２８の下流側には、印字済みラベル用テープ１０９を所定の長さに切断するための、カッタ４０が設けられている。カッタ４０の下流側には、筺体１Ａの一方側（上記図２の図示左側）に開設されたラベル排出口１Ｂ（上記図２及び後述の図５参照）が設けられている。
【００２３】
＜印字ラベル作成装置の制御系＞
図５を用いて、印字ラベル作成装置１の制御系を説明する。図５において、印字ラベル作成装置１には、上記サーマルヘッド２３の発熱素子２３ａへの通電を行う印刷駆動回路２０５と、上記タッチパネル部５Ｂを駆動するタッチパネル駆動回路２０７と、上記テープ送りローラ駆動軸１０８（図４参照）及びリボン巻取りローラ駆動軸１０７（図４参照）を駆動するローラ駆動用モータ２０８を制御するローラ駆動回路２０９と、カッタ４０を切断動作させるカッタソレノイド２８０への通電を制御するカッタソレノイド駆動回路３００と、印刷駆動回路２０５、タッチパネル駆動回路２０７、ローラ駆動回路２０９、カッタソレノイド駆動回路３００等を介し、印字ラベル作成装置１全体の動作を制御するための制御回路２１０と、が設けられている。
【００２４】
操作キー部２のキーボード３及び機能キー群４は制御回路２１０に接続されている。タッチパネル部５Ｂは上記タッチパネル駆動回路２０７を介して制御回路２１０に接続されている。そして、制御回路２１０に、キーボード３、機能キー群４、及びタッチパネル部５Ｂの操作に対応した操作信号が入力される。また液晶パネル部５Ａは制御回路２１０に接続されており、上記キーボード３や機能キー群等の編集操作及びタッチパネル部５Ｂの操作、に基づくテキスト等のラベルイメージＭ（上記図３参照）が、液晶パネル５Ａに表示される。制御回路２１０は、操作キー部２の操作及びタッチパネル部５Ｂの操作による各設定に応じて、印刷駆動回路２０５、ローラ駆動回路２０９、ローラ駆動用モータ２０８、カッタソレノイド駆動回路３００等を制御する。
【００２５】
制御回路２１０は、いわゆるマイクロコンピュータであり、詳細な図示を省略するが、中央演算処理装置であるＣＰＵ、ＲＯＭ、及びＲＡＭ等から構成されるとともに、例えばＲＡＭからなるラベルイメージメモリ２２０を備えている。そして制御回路２１０は、ＲＡＭの一時記憶機能を利用しつつＲＯＭに予め記憶されたプログラム（後述の図１４乃至図１７に示すタッチパネル部での操作入力による実行プログラムを含む）に従って所定の処理を行う。
【００２６】
なお、制御回路２１０は、電源回路により給電されるとともに、通信回路を介し例えば通信回線に接続され、この通信回線に接続された図示しないルートサーバ、他の端末（外部端末に相当）、汎用コンピュータ、及び情報サーバ等との間で情報のやりとりが可能となっている。
【００２７】
＜印字ラベル作成装置の基本動作＞
上記構成の印字ラベル作成装置１において、カートリッジ８が上記カートリッジホルダ９に装着されると、カバーフィルム１０３及びインクリボン１０５がサーマルヘッド２３とプラテンローラ２６との間に狭持されるとともに、基材テープ１０１及びカバーフィルム１０３が送りローラ２７と圧着ローラ２８との間に狭持される。一方、操作キー部２のキーボード３及び機能キー群４を介した編集操作により生成されたラベルイメージＭがラベルイメージメモリ２２０に一時的に格納されると共に、液晶パネル５Ａに表示される。
【００２８】
そして、テープ送りローラ駆動軸１０８の駆動に伴い、リボン巻取りローラ１０６及び送りローラ２７が図４中矢印Ｂ及び矢印Ｃで示す方向にそれぞれ同期して回転駆動される。送りローラ２７の回転により圧着ローラ２８が回転し、第１ロール１０２から基材テープ１０１が繰り出されて送りローラ２７へ供給され、リボン巻取りローラ１０６の回転によりリボン供給ローラ１１１からインクリボン１０５が繰り出される。また、インクリボン１０５の繰り出しによりプラテンローラ２６が回転し、送りローラ２７、圧着ローラ２８、及びプラテンローラ２６の回転により第２ロール１４からカバーフィルム１０３が繰り出されて送りローラ２７へ供給される。このとき、ラベルイメージメモリ２２０から上記格納されていたラベルイメージＭが読み出され、その読み出されたラベルイメージＭに基づき、印刷駆動回路２０５によりサーマルヘッド２３の複数の発熱素子２３ａが通電される。この結果、第２ロール１０４から繰り出されたカバーフィルム１０３の裏面に、上記ラベルイメージＭに対応した所望の印字ＲＲ（図５参照）が印刷される。
【００２９】
そして、上記基材テープ１０１と上記印刷が終了したカバーフィルム１０３とが上記送りローラ２７及び圧着ローラ２８により接着されて一体化されることにより印字済みラベル用テープ１０９として形成され、テープ排出部よりカートリッジ８外へと搬出される。カバーフィルム１０３への印字ＲＲの形成が終了したインクリボン１０５は、リボン巻取りローラ駆動軸１０７の駆動によりリボン巻取りローラ１０６に巻取られる。
【００３０】
その後、送りローラ２７のラベル搬送方向下流側のカッタ４０が作動して、印字済みラベル用テープ１０９が所定の長さに切断され、所望の長さの印字ラベル（印刷物に相当）が生成される。生成された印字ラベルは、筺体１Ａの排出口１Ｂから印字ラベル作成装置１の外部へ排出される。
【００３１】
＜本実施形態の特徴＞
本実施形態においては、その最大の特徴として、ラベルイメージＭ（印刷物イメージに相当）を液晶パネル５Ａに表示させた状態で、操作者がそのラベルイメージＭを見ながら指先等によってタッチパネル部５Ｂに接触操作を行うことにより、文字列やブロックを自らが意図する位置に移動可能である。なお、上記文字列は、テープ長さ方向に連続する複数の文字の１行により構成される。上記ブロックは、テープ幅方向に複数行配列された、当該複数行の文字列全体により構成される。本実施形態では、操作者によるタッチパネル部５Ｂへの接触部位に応じて、上記文字列又はブロックのいずれかが移動可能単位として指定される。そして、当該移動可能とされた文字列又はブロックが、移動先に移動されることで、当該移動先にある文字列又はブロックの途中に挿入したり、当該移動先の文字列又はブロックに合体させたり、当該移動先の文字列又はブロックと入れ替えたりすることができる。以下、その詳細を、上記文字列又はブロックの移動・入れ替え等の具体例を挙げつつ、図６〜図１３を用いて順を追って説明する。
【００３２】
＜ブロックの移動〜その１＞
例えば図６（ａ）に示す例では、文字列「１２３」と文字列「４５６」の２行からなるブロックを左側に含み、文字列「７８」文字列「９」の２行からなるブロックを右側に含む、ラベルイメージＭが、液晶パネル５Ａに表示されている。この状態で、操作者が、指先１０を、タッチパネル部５Ｂのうち、上記ラベルイメージＭの右側のブロック「７８」「９」に対応した領域（以下適宜、「ブロック領域」という）に接触させる。すると、図６（ｂ）に示すように、液晶パネル５Ａにおいて、上記タッチパネル部５Ｂの右側のブロック領域に対応したブロック「７８」「９」を包含する枠線Ｌ２（第２枠線に相当）と、当該枠線Ｌ２に包含される文字列を各行ごとに包含する２つの枠線Ｌ１，Ｌ１（第１枠線に相当）とが表示される。
【００３３】
その後、図６（ｂ）に示すように、操作者が、上記タッチパネル部５Ｂの右側のブロック領域に接触させた指先１０を、上記タッチパネル部５Ｂのうち、ラベルイメージＭの左側のブロック「１２３」「４５６」に対応したブロック領域内、詳細には、当該ブロックの最下段の文字列「４５６」に対応した領域（以下適宜、「文字列領域」という）の下方部分、へと移動（いわゆるドラッグ操作）させる。すると、ラベルイメージＭのうち上記枠線Ｌ２内の２行の文字列「７８」「９」からなるブロックが、このままの配列状態を維持しつつ、当該指先１０の動きに追従して上記左側のブロック「１２３」「４５６」の下方へ移動する。なお、図示の例ではドラッグ操作後においては上記枠線Ｌ１及び枠線Ｌ２の表示が消えているが、これに限られず、ドラッグ操作後も引き続き表示されるようにしてもよい（以下のすべての例においても同様）。
【００３４】
こうして、図６（ｃ）に示すように、ラベルイメージＭの右側にあったブロック「７８」「９」内の全ての文字列「７８」及び文字列「９」が、ラベルイメージＭの左側にあったブロック「１２３」「４５６」の文字列「１２３」及び文字列「４５６」とは別の行として、もとのブロック「１２３」「４５６」の下方に追加される。この結果、テープ幅方向に、文字列「１２３」、文字列「４５６」、文字列「７８」、及び文字列「９」、の４行が配列された新たな１つのブロックを備えたラベルイメージＭが表示される。本実施形態では、このようにして、任意の１つのブロック内のすべての文字列を、別のブロック内へと配置換えし、当該ブロック内での新しい行として組み込むことができる（詳細は後述）。
【００３５】
なお、上記の際、上記のように新ブロックを構成する文字列の行数が２行から４行に増加するのに対応して、各文字列「１２３」、文字列「４５６」、文字列「７８」、及び文字列「９」のフォントサイズが自動的に縮小される。すなわち、テープ幅（カバーフィルム１０３の幅寸法）に合わせてフォントサイズがリサイズされている（後述する図１８参照）。なお、テープ幅に余裕がある場合には、上記フォントサイズの変更を行わず不変のままにしておいても良い（以下のすべての例においても同様）。
【００３６】
＜文字列の移動〜その１＞
例えば、図７（ａ）に示す例では、上記図６（ａ）と同様、文字列「１２３」と文字列「４５６」の２行からなるブロックを左側に含み、文字列「７８」文字列「９」の２行からなるブロックを右側に含む、ラベルイメージＭが、液晶パネル５Ａに表示されている。この状態で、操作者が、指先１０を、タッチパネル部５Ｂのうち、上記ラベルイメージＭの右側のブロック「７８」「９」の上段に位置する文字列「７８」に対応した上記文字列領域に接触させる。すると、図７（ｂ）に示すように、液晶パネル５Ａにおいて、上記タッチパネル部５Ｂのうち上記接触された文字列領域に対応した文字列「７８」を包含する枠線Ｌ１が表示される。
【００３７】
その後、図７（ｂ）に示すように、操作者が、上記タッチパネル部５Ｂの上記文字列領域に接触させた指先１０を、上記タッチパネル部５Ｂのうち、ラベルイメージＭの左側のブロック「１２３」「４５６」に対応したブロック領域内、詳細には、当該ブロックの最下段の文字列「４５６」に対応した文字列領域の下方部分、へと移動（ドラッグ操作）させる。すると、ラベルイメージＭのうち上記枠線Ｌ１内の１行の文字列「７８」が、当該指先１０の動きに追従して上記左側のブロック「１２３」「４５６」の下方へ移動する。
【００３８】
こうして、図７（ｃ）に示すように、ラベルイメージＭの右側のブロック「７８」「９」にあった１行の文字列「７８」が、ラベルイメージＭの左側にあったブロック「１２３」「４５６」の文字列「１２３」及び文字列「４５６」とは別の行として、もとのブロック「１２３」「４５６」の下方に追加される。この結果、左側に、テープ幅方向に、文字列「１２３」、文字列「４５６」、及び、文字列「７８」、の３行を備えたブロックが配列されるとともに、右側に、文字列「９」の１行を備えたブロックが配列された、新たなラベルイメージＭが表示される。本実施形態では、このようにして、任意のブロック内の１つの文字列を、別のブロック内へと配置換えし、当該ブロック内での新しい行として組み込むことができる（詳細は後述）。
【００３９】
なお、上記の際、上記のように新ブロックを構成する文字列の行数が２行から３行に増加するのに対応して、各文字列「１２３」、文字列「４５６」、文字列「７８」、のフォントサイズが自動的に縮小される。また一方、移動元のブロックにおいても、構成する文字列の行数が２行から１行に減少する（文字列「７８」「９」→文字列「９」）のに対応して、文字列「９」のフォントサイズが自動的に拡大される（この拡大は必ずしも行わなくてもよい）。すなわち、上記同様、テープ幅（カバーフィルム１０３の幅寸法）に合わせてフォントサイズがリサイズされている（後述する図１８参照）。
【００４０】
＜文字列の移動〜その２＞
例えば、図８（ａ）に示す例では、文字列「１２３」と文字列「４５６」の２行からなるブロックを左側に含み、文字列「７８９」の１行からなるブロックを右側に含む、ラベルイメージＭが、液晶パネル５Ａに表示されている。なお、この際、左右の文字列数の違いにより、右側のブロックの文字列「７８９」のフォントサイズのほうが、左側のブロックの文字列「１２３」「４５６」のフォントサイズよりも大きくなっている。この状態で、操作者が、指先１０を、タッチパネル部５Ｂのうち、上記ラベルイメージＭの左側のブロック「１２３」「４５６」の下段に位置する文字列「４５６」に対応した上記文字列領域に接触させる。すると、図８（ｂ）に示すように、液晶パネル５Ａにおいて、上記タッチパネル部５Ｂのうち上記接触された文字列領域に対応した文字列「４５６」を包含する枠線Ｌ１が表示される。
【００４１】
その後、図８（ｂ）に示すように、操作者が、上記タッチパネル部５Ｂの上記文字列領域に接触させた指先１０を、上記タッチパネル部５Ｂのうち、ラベルイメージＭの左側の上記ブロック「１２３」「４５６」に対応したブロック領域と、これに隣接する、右側の上記ブロック「７８９」に対応したブロック領域との間、へと移動（ドラッグ操作）させる。すると、ラベルイメージＭのうち上記枠線Ｌ１内の１行の文字列「４５６」が、当該指先１０の動きに追従して上記左側のブロック「１２３」（文字列「４５６」は移動して含まれなくなる）と上記右側のブロック「７８９」との間に移動する。
【００４２】
こうして図８（ｃ）に示すように、ラベルイメージＭの左側のブロック「１２３」「４５６」にあった１行の文字列「４５６」によって新たな（１行の文字列からなる）ブロック「４５６」が生成される。そして、もとの左側のブロックは１行の文字列「１２３」からなるブロック「１２３」となり、上記新たに生成されたブロック「４５６」は、上記ブロック「１２３」と、ラベルイメージＭの右側のブロック「７８９」との間に挿入される（言い換えれば、右側のブロック「７８９」は挿入分だけ図中の右側にずれる）。この結果、テープ長さ方向に、１行の文字列からなるブロック「１２３」、１行の文字列からなるブロック「４５６」、及び、１行の文字列からなるブロック「７８９」、の３ブロックが配列されたラベルイメージＭが表示される。本実施形態では、このようにして、任意のブロック内の１つの文字列を抜き出して、その文字列からなる新たな１つのブロックを生成することができる（詳細は後述）。
【００４３】
なお、上記の際、上記のようにすべてのブロックを構成する文字列の行数が１行となるのに対応して、文字列「１２３」及び文字列「４５６」のフォントサイズが自動的に拡大される（但しこの拡大は必ずしも行わなくてもよい）。すなわち、上記同様、テープ幅（カバーフィルム１０３の幅寸法）に合わせてフォントサイズがリサイズされている（後述する図１８参照）。
【００４４】
＜文字列の移動〜その３＞
例えば、図９（ａ）に示す例では、上記図８（ａ）と同様、文字列「１２３」と文字列「４５６」の２行からなるブロックを左側に含み、文字列「７８９」の１行からなるブロックを右側に含む、ラベルイメージＭが、液晶パネル５Ａに表示されている。この状態で、操作者が、指先１０を、タッチパネル部５Ｂのうち、上記ラベルイメージＭの左側のブロック「１２３」「４５６」の上段に位置する文字列「１２３」に対応した上記文字列領域に接触させる。すると、図９（ｂ）に示すように、液晶パネル５Ａにおいて、上記タッチパネル部５Ｂのうち上記接触された文字列領域に対応した文字列「１２３」を包含する枠線Ｌ１が表示される。
【００４５】
その後、図９（ｂ）に示すように、操作者が、上記タッチパネル部５Ｂの上記文字列領域に接触させた指先１０を、上記タッチパネル部５Ｂのうち、ラベルイメージＭの右側のブロック「７８９」に対応したブロック領域内、詳細には、当該ブロックの文字列「７８９」に対応した文字列領域の下方部分、へと移動（ドラッグ操作）させる。すると、ラベルイメージＭのうち上記枠線Ｌ１内の１行の文字列「１２３」が、当該指先１０の動きに追従して上記右側のブロック「７８９」の下方へ移動する。
【００４６】
こうして、図９（ｃ）に示すように、ラベルイメージＭの左側のブロック「１２３」「４５６」にあった１行の文字列「１２３」が、ラベルイメージＭの右側にあったブロック「７８９」の１行の文字列「７８９」とは別の行として、もとのブロック「７８９」の下方に追加される。この結果、左側に、文字列「４５６」の１行を備えたブロックが配列されるとともに、右側に、テープ幅方向に、文字列「７８９」及び文字列「１２３」の２行を備えたブロックが配列された、新たなラベルイメージＭが表示される。本実施形態では、このようにして、上記同様、任意のブロック内の１つの文字列を、別のブロック内へと配置換えし、当該ブロック内での新しい行として組み込むことができる（詳細は後述）。
【００４７】
なお、上記の際、上記のように新ブロックを構成する文字列の行数が１行から２行に増加する（文字列「７８９」→文字列「７８９」「１２３」）のに対応して、各文字列「７８９」及び文字列「１２３」のフォントサイズが自動的に縮小される。また一方、移動元のブロックにおいても、構成する文字列の行数が２行から１行に減少する（文字列「１２３」「４５６」→文字列「４５６」）のに対応して、文字列「４５６」のフォントサイズが自動的に拡大される（この拡大は必ずしも行わなくてもよい）。すなわち、上記同様、テープ幅（カバーフィルム１０３の幅寸法）に合わせてフォントサイズがリサイズされている（後述する図１８参照）。
【００４８】
＜文字列の移動〜その４＞
例えば、図１０（ａ）に示す例では、上記図７（ａ）と同様、文字列「１２３」と文字列「４５６」の２行からなるブロックを左側に含み、文字列「７８」文字列「９」の２行からなるブロックを右側に含む、ラベルイメージＭが、液晶パネル５Ａに表示されている。この状態で、操作者が、指先１０を、タッチパネル部５Ｂのうち、上記ラベルイメージＭの右側のブロック「７８」「９」の上段に位置する文字列「７８」に対応した上記文字列領域に接触させる。すると、上記図７（ｂ）と同様、図１０（ｂ）に示すように、液晶パネル５Ａにおいて、上記タッチパネル部５Ｂのうち上記接触された文字列領域に対応した文字列「７８」を包含する枠線Ｌ１が表示される。
【００４９】
その後、図１０（ｂ）に示すように、操作者が、上記タッチパネル部５Ｂの上記文字列領域に接触させた指先１０を、上記タッチパネル部５Ｂのうち、ラベルイメージＭの左側のブロック「１２３」「４５６」に対応したブロック領域内、詳細には、当該ブロックの上段の文字列「４５６」に対応した文字列領域の図中右側部分、へと移動（ドラッグ操作）させる。すると、ラベルイメージＭのうち上記枠線Ｌ１内の１行の文字列「７８」が、当該指先１０の動きに追従して上記左側のブロック「１２３」「４５６」の文字列「７８」の右側に隣接する位置へ移動する。
【００５０】
こうして、図１０（ｃ）に示すように、ラベルイメージＭの右側のブロック「７８」「９」にあった１行の文字列「７８」が、ラベルイメージＭの左側にあったブロック「１２３」「４５６」の文字列「４５６」の追加部分として合体される。この結果、左側に、テープ幅方向に、文字列「１２３７８」及び文字列「４５６」の２行を備えたブロックが配列されるとともに、右側に、文字列「９」の１行を備えたブロックが配列された、新たなラベルイメージＭが表示される。本実施形態では、このようにして、任意のブロック内の１つの文字列を、別のブロックの適宜の文字列と同一行へ配置換えし、当該行の文字列の追加部分として組み込むことができる（詳細は後述）。
【００５１】
なお、上記の際、移動元のブロックにおいて、構成する文字列の行数が２行から１行に減少する（文字列「７８」「９」→文字列「９」）のに対応して、文字列「９」のフォントサイズが自動的に拡大される（この拡大は必ずしも行わなくてもよい）。すなわち、上記同様、テープ幅（カバーフィルム１０３の幅寸法）に合わせてフォントサイズがリサイズされている（後述する図１８参照）。
【００５２】
＜ブロックの入れ替え＞
例えば図１１（ａ）に示す例では、上記図６（ａ）と同様、文字列「１２３」と文字列「４５６」の２行からなるブロックを左側に含み、文字列「７８」文字列「９」の２行からなるブロックを右側に含む、ラベルイメージＭが、液晶パネル５Ａに表示されている。この状態で、操作者が、指先１０を、タッチパネル部５Ｂのうち、上記ラベルイメージＭの右側のブロック「７８」「９」に対応したブロック領域に接触させる。すると、上記図６（ｂ）と同様、図１１（ｂ）に示すように、液晶パネル５Ａにおいて、上記タッチパネル部５Ｂの右側のブロック領域に対応したブロック「７８」「９」を包含する枠線Ｌ２と、当該枠線Ｌ２に包含される文字列を各行ごとに包含する２つの枠線Ｌ１，Ｌ１とが表示される。
【００５３】
その後、図１１（ｂ）に示すように、操作者が、上記タッチパネル部５Ｂの右側のブロック領域に接触させた指先１０を、上記タッチパネル部５Ｂのうち、ラベルイメージＭの左側のブロック「１２３」「４５６」に対応したブロック領域の周囲領域、詳細には、当該ブロックの図中左側に隣接する余白領域、へと移動（いわゆるドラッグ操作）させる。すると、ラベルイメージＭのうち上記枠線Ｌ２内の２行の文字列「７８」「９」からなるブロックが、このままの配列状態を維持しつつ、当該指先１０の動きに追従して上記左側のブロック「１２３」「４５６」のさらに左側へと移動する。
【００５４】
こうして、図１１（ｃ）に示すように、ラベルイメージＭの右側にあったブロック「７８」「９」が、ラベルイメージＭの左側にあったブロック「１２３」「４５６」よりもさらに左側へ移動して挿入される。これに対応して、上記ブロック「１２３」「４５６」は、もとの位置よりも右側へ移動するので、結果的に、ラベルイメージＭの左側に位置していたブロック「１２３」「４５６」と、ラベルイメージＭの右側に位置していたブロック「７８」「９」とが、互いに位置が入れ替わった態様の、新たなラベルイメージＭが表示される。
【００５５】
＜文字列の入れ替え＞
例えば、図１２（ａ）に示す例では、文字列「１２３」と文字列「４５６」の２行からなるブロックを含むラベルイメージＭが、液晶パネル５Ａに表示されている。この状態で、操作者が、指先１０を、タッチパネル部５Ｂのうち、上記ラベルイメージＭの上段に位置する文字列「１２３」に対応した上記文字列領域に接触させる。すると、上記図９（ｂ）と同様、図１２（ｂ）に示すように、液晶パネル５Ａにおいて、上記タッチパネル部５Ｂのうち上記接触された文字列領域に対応した文字列「１２３」を包含する枠線Ｌ１が表示される。
【００５６】
その後、図１２（ｂ）に示すように、操作者が、上記タッチパネル部５Ｂの上記文字列領域に接触させた指先１０を、上記タッチパネル部５Ｂのうち、ラベルイメージＭの下段の上記文字列「４５６」に対応した文字列領域の周囲領域、詳細には、当該文字列の図中下側に隣接する余白領域、へと移動（いわゆるドラッグ操作）させる。すると、ラベルイメージＭのうち上記枠線Ｌ１内の１行の文字列「１２３」が、当該指先１０の動きに追従して上記下側のブロック「４５６」のさらに下側へと移動する。
【００５７】
こうして、図１２（ｃ）に示すように、ラベルイメージＭの上側にあった文字列「１２３」が、ラベルイメージＭの下側にあった文字列「４５６」よりもさらに下側へ移動して挿入される。これに対応して、上記文字列「４５６」は、もとの位置よりも上側へ移動するので、結果的に、ラベルイメージＭの上側に位置していた文字列「１２３」と、ラベルイメージＭの下側に位置していた文字列「４５６」とが、互いに位置が入れ替わった態様の、新たなラベルイメージＭが表示される。
【００５８】
＜文字列の移動〜その５＞
例えば、図１３（ａ）に示す例では、上記図１２（ａ）と同様、文字列「１２３」と文字列「４５６」の２行からなるブロックを含む、ラベルイメージＭが、液晶パネル５Ａに表示されている。この状態で、操作者が、指先１０を、タッチパネル部５Ｂのうち、上記ラベルイメージＭの上段に位置する文字列「１２３」に対応した上記文字列領域に接触させる。すると、上記図１２（ｂ）と同様、図１３（ｂ）に示すように、液晶パネル５Ａにおいて、上記タッチパネル部５Ｂのうち上記接触された文字列領域に対応した文字列「１２３」を包含する枠線Ｌ１が表示される。
【００５９】
その後、図１３（ｂ）に示すように、操作者が、上記タッチパネル部５Ｂの上記文字列領域に接触させた指先１０を、上記タッチパネル部５Ｂのうち、ラベルイメージＭの下段の文字列「４５６」に対応した文字列領域の図中右側部分、へと移動（ドラッグ操作）させる。すると、ラベルイメージＭのうち上記枠線Ｌ１内の１行の文字列「１２３」が、当該指先１０の動きに追従して上記文字列「４５６」の右側に隣接する位置へ移動する。
【００６０】
こうして、図１３（ｃ）に示すように、ラベルイメージＭの上段にあった文字列「１２３」が、ラベルイメージＭの下段にあった文字列「４５６」の追加部分として合体される。この結果、１つの文字列「４５６１２３」を備えたブロックが配列された、新たなラベルイメージＭが表示される。
【００６１】
なお、上記の際、ラベルイメージＭ全体において、構成する文字列の行数が１行に減少するのに対応して、文字列「１２３」「４５６」のフォントサイズが自動的に拡大される（この拡大は必ずしも行わなくてもよい）。すなわち、上記同様、テープ幅（カバーフィルム１０３の幅寸法）に合わせてフォントサイズがリサイズされている（後述する図１８参照）。
【００６２】
＜ラベル作成時の制御手順＞
上記を実現するために制御回路２１０が実行する処理手順を、図１４〜図１７により説明する。この処理は、例えば印字ラベル作成装置１の操作キー部２の電源ボタン４ｆが押されることによって開始される。なお、以下の説明においては、説明の煩雑を避けるために、適宜、タッチパネル部５Ｂの上記ブロック領域を単に「ブロック」と称し、タッチパネル部５Ｂの上記文字列領域を単に「文字列」と称する。
【００６３】
＜メインフロー＞
図１４に示すメインフローにおいて、ステップＳ１０で、まず、制御回路２１０は、キーボード３や機能キー群４等を介し、操作者による、文字や記号等の入力による、ラベルに形成する印字内容（文字列の文字等）の編集操作やその他の操作を受け付ける。なお、上記通信回線を介して、他の端末や汎用コンピュータからラベルに対する上記編集操作が行われる場合も、このステップＳ１０で、上記他の端末等からの編集操作等を受け付ける。すなわち、このステップＳ１０を実行する制御回路２１０が、各請求項記載の編集受付手段として機能する。
【００６４】
その後、ステップＳ１１では、制御回路２１０は、上記キーボード３や機能キー群４等を介し（あるいは上記端末等から）、液晶パネル５Ａに対するプレビュー表示の指示があったか否かを判定する。プレビュー表示の指示がなければステップＳ１１の判定が満たされず（Ｓ１１：ＮＯ）、ステップＳ１０に戻って同様の手順が繰り返される。プレビュー表示の指示があればステップＳ１１の判定が満たされ（Ｓ１１：ＹＥＳ）、ステップＳ１２へ移行する。
【００６５】
ステップＳ１２では、制御回路２１０は、液晶パネル５Ａに制御信号を出力し、上記ステップＳ１０で受け付けた編集内容に応じた姿の上記ラベルイメージＭを液晶パネル５Ａにプレビュー表示させる。このとき、表示された上記編集後のラベルイメージＭは、制御回路２１０のラベルイメージメモリ２２０に一時的に記憶される。
【００６６】
ステップＳ１３では、制御回路２１０は、タッチパネル駆動回路２０７を介し、操作者によるタッチパネル部５の操作が検出されたか否かを判定する。操作者が例えば指先１０をタッチパネル部５に接触するまでは、ステップＳ１３の判定が満たされず（Ｓ１３：ＮＯ）、判定が満たされるまでループ待機する。操作者が例えば指先１０をタッチパネル部５に接触するとステップＳ１３の判定が満たされ（Ｓ１３：ＹＥＳ）、ステップＳ１４に移る。なお、このステップＳ１３の判定が満たされた以降は、タッチパネル駆動回路２０７を介し、操作者によるタッチパネル部５の操作が継続的に検出されている。したがって、このステップＳ１３を実行する制御回路２１０が、各請求項記載の検出手段として機能する。
【００６７】
ステップＳ１４では、制御回路２１０は、上記ステップＳ１３以降のタッチパネル駆動回路２０７を介した検出結果に基づき、タッチパネル部５Ｂにおいて、操作者の指先１０がラベルイメージＭの中のいずれかの文字列（前述の図７〜図１０、図１２等参照）に接触したか否かを判定する。
【００６８】
＜文字列へ接触された場合＞
文字列への接触がなされていればステップＳ１４の判定が満たされ（Ｓ１４：ＹＥＳ）、ステップＳ１５へ移行する。ステップＳ１５では、制御回路２１０は、液晶パネル５Ａに制御信号を出力し、行の枠線Ｌ１を表示させる。これにより、上記図７（ｂ）、図８（ｂ）、図９（ｂ）、図１０（ｂ）、図１２（ｂ）、及び図１３（ｂ）に示すように、文字列の１行を包囲するように、枠線Ｌ１が液晶パネル５Ａに表示される。
【００６９】
その後、ステップＳ１６に移り、制御回路２１０は、上記ステップＳ１３以降のタッチパネル駆動回路２０７を介した検出結果に基づき、上記ステップＳ１４で検出された文字列への指先１０による接触が別の位置へ移動したか（いわゆるドラッグ操作が検出されたか）否かを判定する（上記図７（ｂ）、図８（ｂ）、図９（ｂ）、図１０（ｂ）、図１２（ｂ）、図１３（ｂ）参照）。接触位置が移動していなければステップＳ１６の判定が満たされず（Ｓ１６：ＮＯ）、ステップＳ１４に戻って同様の手順を繰り返す。接触位置が移動していればステップＳ１６の判定が満たされ（Ｓ１６：ＹＥＳ）、ステップＳ１７へ移行する。
【００７０】
ステップＳ１７では、制御回路２１０は、ステップＳ１６での指先１０の移動先が既存の別ブロックの中であるか否かを判定する。
【００７１】
＜移動先が別ブロック内であった場合＞
上記図７（ｂ）、図９（ｂ）、図１０（ｂ）に示すように、別ブロックの中への移動であればステップＳ１７の判定が満たされ（Ｓ１７：ＹＥＳ）、ステップＳ１８へ移行する。ステップＳ１８では、制御回路２１０は、ステップＳ１６での指先１０の移動先が既存の行の上方又は下方か否かを判定する。
【００７２】
＜移動先が既存行の上下であった場合＞
上記図７（ｂ）及び図９（ｂ）に示すように、既存の行の上方又は下方への移動であった場合には、ステップＳ１８の判定が満たされる（Ｓ１８：ＹＥＳ）。この場合、ステップＳ２１へ移行し、制御回路２１０は、上記のようにして１行分の文字列が増える、移動先に関する文字列の行（上記図７（ｂ）の例における文字列「１２３」「４５６」及び図９（ｂ）における文字列「７８９」参照）のフォントサイズ調整を行う。
【００７３】
すなわち、ステップＳ２１で、制御回路２１０は、ラベルイメージＭにおけるテープ幅寸法に対し、移動先のブロックの既存の文字列の行数に１行加算した行数で分割する、分割数設定を行う。例えば、上記図７（ｂ）の例では、移動先の文字列「１２３」「４５６」の行数２に１を加算した分割数３とし、上記図９（ｂ）の例では、移動先の文字列「７８９」の行数１に１を加算した分割数２とする。その後、ステップＳ２２の文字列移動処理に移る。
【００７４】
＜文字列移動処理＞
上記ステップＳ２２の文字列移動処理の詳細手順を図１５を用いて説明する。
【００７５】
まず、ステップＳ３００で、制御回路２１０は、上記移動先のブロックにおける既存の行の文字列を、上記ステップＳ２１による分割設定に基づきリサイズして再配置する。例えば、上記図７（ｂ）の例では、移動先の文字列「１２３」「４５６」を、上記分割数３に対応したフォントサイズにリサイズ（すなわち縮小。図７（ｃ）参照）し、上記図９（ｂ）の例では、移動先の文字列「７８９」を、上記分割数２に対応したフォントサイズにリサイズ（すなわち縮小。図９（ｃ）参照）する。
【００７６】
その後、ステップＳ３１０では、制御回路２１０は、上記ステップＳ２１による分割設定に基づいて移動する１行の文字列をリサイズし、ステップＳ１６で決定された移動先のブロックのドラッグ位置へ嵌め込む。例えば、上記図７（ｂ）の例では、移動する文字列「７８」を、上記分割数３に対応したフォントサイズにリサイズ（すなわち縮小。図７（ｃ）参照）して移動先のブロックの最下段（文字列「１２３」「４５６」の下方）に嵌め込み、上記図９（ｂ）の例では、移動する文字列「１２３」を、上記分割数２に対応したフォントサイズにリサイズ（すなわち縮小。図９（ｃ）参照）して移動先のブロックの最下段（文字列「７８９」の下方）に嵌め込む。
【００７７】
その後、ステップＳ３２０では、制御回路２１０は、ラベルイメージＭにおけるテープ幅寸法に対し、移動元のブロックの既存の文字列の行数から１行減算した行数で分割する、分割数設定を行う。例えば、上記図７（ｂ）の例では、移動元のブロック「７８」「９」の文字列の行数２から１を減算した分割数１とし、上記図９（ｂ）の例では、移動元のブロック「１２３」「４５６」の文字列の行数２から１を減算した分割数１とする。
【００７８】
その後、ステップＳ３３０では、制御回路２１０は、上記移動元のブロックに残った既存の行の文字列を、ステップＳ３２０による分割設定に沿いリサイズして再配置する。例えば、上記図７（ｂ）の例では、移動元のブロック「９」に残った文字列「９」を、上記分割数１に対応したフォントサイズにリサイズ（すなわち拡大。図７（ｃ）参照）してテープ幅方向の中央に配置する。上記図９（ｂ）の例では、移動元のブロック「４５６」に残った文字列「４５６」を、上記分割数１に対応したフォントサイズにリサイズ（すなわち拡大。図９（ｃ）参照）してテープ幅方向の中央に配置する。その後、図１４に戻り、後述のステップＳ２３へ移行する。なお、上記ステップＳ３２０において、移動元のブロックの既存の文字列の行数が１行減算した結果「０」になった場合は、ステップＳ３２０及びステップＳ３３０の処理手順は実行されない。
【００７９】
＜移動先が既存行の左右であった場合＞
一方、上記図１４のステップＳ１８において、上記図１０（ｂ）に示すように、既存の行の上方又は下方への移動でない場合には、テップＳ１８の判定が満たされず（Ｓ１８：ＮＯ）、ステップＳ１９へ移行する。
【００８０】
ステップＳ１９では、制御回路２１０は、ステップＳ１６での指先１０の移動先が、既存の行の左方又は右方か否かを判定する。移動先が既存の行の左方又は右方への移動でなければステップＳ１９の判定が満たされず（Ｓ１９：ＮＯ）、ステップＳ１４へ戻り、同様の手順が繰り返される。上記図１０（ｂ）に示すように、移動先が既存の行の左方又は右方への移動であった場合には、ステップＳ１９の判定が満たされ（Ｓ１９：ＹＥＳ）、ステップＳ２０の文字列合体処理へ移行する。
【００８１】
＜文字列合体処理＞
上記ステップＳ２０の文字列合体処理の詳細手順を図１６を用いて説明する。
【００８２】
まず、ステップＳ５００で、制御回路２１０は、上記ラベルイメージＭ中の上記移動先のブロック内の既存の文字列の行の文字数に、移動する行の文字列の文字数を加算して、移動先のブロックをテープ長手方向にリサイズする。具体的には、上記加算された文字数に対応するように、移動先のブロックの大きさを、テープ長さ方向（文字列の文字数が増加する方向）に拡大する。
【００８３】
その後、ステップＳ５１０で、制御回路２１０は、上記移動先のブロック内において、既存の文字列の行末の文字に連続するように、移動する文字列の行の各文字を付加し、新たな行を生成する（上記図１０（ｂ）の例における文字列「１２３７８」参照）。
【００８４】
そして、ステップＳ５２０に移り、制御回路２１０は、上記移動先のブロックにおける他の行の文字列を、上記リサイズ後の拡大されたブロックに再配置する（上記図１０（ｃ）の例における文字列「４５６」参照）。
【００８５】
その後は、上述した図１５のステップＳ３２０へ移行し、制御回路２１０は、上記同様の、１を減算する分割数設定を行う。例えば、上記図１０（ｂ）の例では、移動元のブロック「７８９」「９」の行数２から１を減じた、分割数１とする。その後、ステップＳ３３０において、制御回路２１０は、上記同様の、ステップＳ３２０の分割設定に沿ったリサイズ及び再配置を行う。例えば、上記の例では、移動元のブロック「９」に残った文字列「９」を、上記分割数１に対応したフォントサイズにリサイズ（すなわち拡大。図１０（ｃ）参照）してテープ幅方向の中央に配置する。その後、図１４に戻り、後述のステップＳ２３へ移行する。
【００８６】
＜移動先が別ブロック内でない場合＞
一方、上記ステップＳ１７において、上記図８（ｂ）、図１２（ｂ）、図１３（ｂ）に示すように、別ブロックの中への移動でない場合にはステップＳ１７の判定が満たされず（Ｓ１７：ＮＯ）、ステップＳ２６へ移行する。ステップＳ２６では、制御回路２１０は、指先１０の移動先が同一のブロックの中か否かを判定する。
【００８７】
＜移動先が同一ブロック内であった場合＞
移動先が同一のブロックの中であればステップＳ２６の判定が満たされ（Ｓ２６：ＹＥＳ）、ステップＳ２７へ移行する。ステップＳ２７では、制御回路２１０は、指先１０の移動先が、同一ブロック内の既存の文字列の行の左右か否かを判定する。
【００８８】
＜移動先が既存行の左右であった場合＞
上記図１３に示すように、既存の行の左方又は右方への移動であった場合には、ステップＳ２７の判定が満たされる（Ｓ２７：ＹＥＳ）。この場合、ステップＳ２７の判定が満たされ（Ｓ２７：ＹＥＳ）、ステップＳ２８へ移行する。
【００８９】
ステップＳ２８では、制御回路２１０は、移動する行が既存の文字列の行の左右に来ることで１行分の文字列が減る、当該ブロック内の文字列の行（上記図１３の例における文字列「１２３」「４５６」参照）のフォントサイズ調整を行う。
【００９０】
すなわち、ステップＳ２８で、制御回路２１０は、ラベルイメージＭにおけるテープ幅寸法に対し、当該ブロックの既存の文字列の行数から１行減算した行数で分割する、分割数設定を行う。例えば、上記図１３（ｂ）の例では、当該ブロック内の文字列「１２３」「４５６」の行数２から１を減算した分割数１とする。その後、前述したステップＳ２２の文字列移動処理に移り、同様の処理を行う。
【００９１】
＜移動先が既存行の左右ではなかった場合＞
一方、上記ステップＳ２７において、移動先が既存行の左右でなかった場合、ステップＳ２７の判定が満たされず（Ｓ２７：ＮＯ）、ステップＳ２９へ移行する。ステップＳ２９では、制御回路２１０は、指先１０の移動先が、同一ブロック内の既存の文字列の行の上方又は下方への移動であるか否かを判定する。既存の行の上方又は下方への移動でなければステップＳ２９の判定が満たされず（Ｓ２９：ＮＯ）、ステップＳ１４へ戻って同様の手順が繰り返される。上記図１２に示すように、既存の行の上方又は下方への移動であった場合には、ステップＳ２９の判定が満たされ（Ｓ２９：ＹＥＳ）、ステップＳ３０の文字列入替処理へ移行する。
【００９２】
＜文字列入替処理＞
上記ステップＳ３０の文字列入替処理の詳細手順を図１７を用いて説明する。
【００９３】
まず、ステップＳ７００で、制御回路２１０は、指先１０の移動先が、同一ブロック内の既存の文字列の行の上方への移動であるか否かを判定する。移動先が既存の文字列の行の下方であればステップＳ７００の判定が満たされず（Ｓ７００：ＮＯ）、ステップＳ７１０へ移行する。移動先が既存の文字列の行の上方であればステップＳ７００の判定が満たされ（Ｓ７００：ＹＥＳ）、ステップＳ７２０へ移行する。
【００９４】
ステップＳ７１０では、制御回路２１０は、当該ブロック内の、文字列の移動先の部位より上側に位置し、かつ移動元の部位より下側に位置する全ての既存の文字列の行を、１行ずつ上側へずらし再配置する。その後、ステップＳ７３０へ移行する。
【００９５】
ステップＳ７２０では、制御回路２１０は、当該ブロック内の、文字列の移動先の部位より下側に位置し、かつ移動元の部位より上側に位置する全ての既存の文字列の行を、１行ずつ下側へずらし再配置する。その後、ステップＳ７３０へ移行する。
【００９６】
ステップ７３０では、制御回路２１０は、上記ステップＳ７１０やステップＳ７２０でのずらし再配置により空いたスペースに、移動対象の文字列を、新たな行として生成する。その後、後述のステップＳ２３へ移行する。
【００９７】
＜移動先が同一ブロック内でなかった場合＞
一方、上記ステップＳ２６において、指先１０の移動先が同一のブロックの中でなかった場合はステップＳ２６の判定が満たされず（Ｓ２６：ＮＯ）、ステップＳ３１へ移行する。ステップＳ３１では、制御回路２１０は、指先１０の移動先が、既存の他のブロックの左右外側か否かを判定する。移動先が既存のブロックの左右外側でなければステップＳ３１の判定が満たされず（Ｓ３１：ＮＯ）、上記ステップＳ１４へ戻って同様の手順を繰り返す。上記図８に示すように、移動先が既存のブロックの左右外側であった場合にはステップＳ３１の判定が満たされ（Ｓ３１：ＹＥＳ）、ステップＳ３２の新ブロック挿入処理へ移行する。
【００９８】
＜新ブロック挿入処理＞
上記ステップＳ３２の新ブロック挿入処理の詳細手順を図１８を用いて説明する。
【００９９】
まず、ステップＳ４００において、制御回路２１０は、移動する文字列の行を、上記ラベルイメージＭにおけるテープ幅寸法に合わせてリサイズした後、そのリサイズした文字列を含む新たなブロックを生成する。その後、当該生成した新ブロックを、ステップＳ１６で決定された移動先である、上記既存の他のブロックの左方外側（又は右方外側）に嵌め込む。例えば、上記図８（ｂ）の例では、移動する文字列「４５６」により１つのブロック「４５６」を生成し、これを、移動先である、ブロック「１２３」（文字列「４５６」は移動により消失することとなる）とその右側に隣接するブロック「７８９」との間に、嵌め込む。
【０１００】
その後、ステップＳ４１０において、制御回路２１０は、移動先の部位より右側に位置する全ての既存のブロックを、１ブロックずつ右側へずらし再配置する。例えば、上記図８（ｂ）の例では、移動先の部位より右側に隣接するブロック「７８９」が、上記の新ブロック「４５６」の嵌め込みに対応して、１ブロック分右側へずらされる。その後、前述のステップＳ３２０へ移行し、以降は同様の各手順が実行される。
【０１０１】
＜文字列へ接触されなかった場合＞
一方、上記ステップＳ１４において、文字列への接触がされていななければ判定が満たされず（Ｓ１４：ＮＯ）、ステップＳ３３に移行する。ステップＳ３３において、制御回路２１０は、上記ステップＳ１３以降のタッチパネル駆動回路２０７を介した検出結果に基づき、タッチパネル部５Ｂにおいて、操作者の指先１０がラベルイメージＭのいずれかのブロック（前述の図６、図１１とう参照）に接触したか否かを判定する。
【０１０２】
＜ブロックへ接触された場合＞
ブロックへの接触がなければ判定が満たされず（Ｓ３３：ＮＯ）、ステップＳ１３に戻り同様の手順が繰り返される。ブロックの接触があれば判定が満たされ（Ｓ３３：ＹＥＳ）、ステップＳ３４へ移行する。なお、このステップＳ３３及び前述のステップＳ１４を実行する制御回路２１０が、各請求項記載の接触判定手段として機能する。
【０１０３】
ステップＳ３４では、制御回路２１０は、液晶パネル５Ａに制御信号を出力し、文字列を包含する枠線Ｌ１及びブロックを包含する枠線Ｌ２を表示させる。これにより、上記図６（ｂ）及び図１１（ｂ）に示すように、各文字列ごとに包囲するように枠線Ｌ１が液晶パネル５Ａに表示されるとともに、ブロックを包囲するように枠線Ｌ２が液晶パネル５Ａに表示される。なお、このステップＳ３４、及び、上記ステップＳ１２、上記ステップＳ１５を実行する制御回路２１０が、各請求項記載の第１イメージ生成手段として機能する。
【０１０４】
その後、ステップＳ３５に移り、制御回路２１０は、上記ステップＳ１６と同様、上記ステップＳ１３以降のタッチパネル駆動回路２０７を介した検出結果に基づき、上記ステップＳ１４で検出されたブロックへの指先１０による接触が別の位置まで移動したか（いわゆるドラッグ操作が検出されたか）否かを判定する（上記図６（ｂ）及び図１１（ｂ）参照）。接触位置が移動していなければステップＳ３５の判定が満たされず（Ｓ３５：ＮＯ）、ステップＳ１４に戻って同様の手順を繰り返す。接触位置が移動していればステップＳ３５の判定が満たされ（Ｓ３５：ＹＥＳ）、ステップＳ３６へ移行する。
【０１０５】
ステップＳ３６では、制御回路２１０は、ステップＳ３５での指先１０の移動先が既存の（別の）ブロックの中であるか否かを判定する。
【０１０６】
＜移動先が既存のブロック内であった場合＞
上記図６に示すように、既存の別ブロックの中であればステップＳ３６の判定が満たされ（Ｓ３６：ＹＥＳ）、ステップＳ３７へ移行する。ステップＳ３７では、制御回路２１０は、接触したブロックの移動先が、上記既存の別ブロックの中の、既存の行の上方又は下方であるか否かを判定する。
【０１０７】
既存の行の上方又は下方への移動でなければステップＳ３７の判定が満たされず（Ｓ３７：ＮＯ）、ステップＳ１４に戻り同様の手順が繰り返される。上記図６（ｂ）に示すように、既存の行の上方又は下方への移動であればステップＳ３７の判定が満たされ（Ｓ３７：ＹＥＳ）、ステップＳ３８のブロック内全行組込処理に移る。
【０１０８】
＜ブロック内全行組み込み処理＞
上記ステップＳ３８のブロック内全行組み込み処理の詳細手順を図１９を用いて説明する。
【０１０９】
まず、ステップＳ２００において、制御回路２１０は、ラベルイメージＭにおけるテープ幅寸法に対し、移動先のブロックの既存の全文字列の行数と今回移動するブロックの全文字列の行数とを合算した行数で分割する、分割数設定を行う。例えば、上記図６（ｂ）の例では、移動先のブロック「１２３」「４５６」の文字列の行数２と、移動するブロック「７８」「９」の文字列の行数２とを合算した分割数４とする。
【０１１０】
その後、ステップＳ３３０では、制御回路２１０は、上記移動先のブロックにあるすべての既存の行を、上記ステップＳ２００による分割設定に沿いリサイズして再配列する。例えば、上記図６（ｂ）の例では、移動先のブロック「１２３」「４５６」の文字列「１２３」及び文字列「４５６」を、上記分割数４に対応したフォントサイズにリサイズ（すなわち縮小。図６（ｃ）参照）して配置する。
【０１１１】
そして、ステップＳ２２０で、制御回路２１０は、上記ステップＳ２００による分割設定に基づいて、移動するブロックに含まれる全文字列をそれぞれリサイズし、ステップＳ３５で決定された移動先のブロックのドラッグ位置へ嵌め込む。例えば、上記図６（ｂ）の例では、移動するブロックに含まれる文字列「７８」「９」を、上記分割数４に対応したフォントサイズにリサイズ（すなわち縮小。図６（ｃ）参照）して移動先のブロックの最下段（文字列「１２３」「４５６」の下方）に嵌め込む。
【０１１２】
その後、ステップＳ２３０で、制御回路２１０は、移動元のブロックより右側の全ブロックを１ブロックずつ左側へずらし再配置する。なお上記図６（ｂ）の例では、移動するブロック「７８」「９」より右側には他のブロックは存在しないので、このステップＳ２３０は実質的には行われないことになる。その後、後述のステップＳ２３へ移行する。
【０１１３】
＜移動先が既存のブロック外であった場合＞
一方、上記ステップＳ３６において、ステップＳ３５での指先１０の移動先が既存のブロックの中でなかった場合には、ステップＳ３６の判定が満たされず（Ｓ３６：ＮＯ）、ステップＳ３９へ移行する。
【０１１４】
ステップＳ３９では、制御回路２１０は、接触したブロックの移動先が、上記既存の別ブロックの左右外側であるか否か（既存の別ブロックのいずれか１つに着目したとき、そのブロックの左方外側又は右方外側への移動に該当するか否か）を判定する。既存の別ブロックの左右外側でなければステップＳ３９の判定が満たされず（Ｓ３９：ＮＯ）、ステップＳ１４に戻って同様の手順を繰り返す。上記図１１に示すように、既存の別ブロックの左方外側又は右方外側への移動であった場合には、ステップＳ３９の判定が満たされ（Ｓ３９：ＹＥＳ）、ステップＳ４０のブロック入替処理へ移行する。
【０１１５】
＜ブロック入替処理＞
上記ステップＳ４０のブロック入替処理の詳細手順を図２０を用いて説明する。
【０１１６】
まず、ステップＳ６００で、制御回路２１０は、指先１０の移動先が、既存の別ブロックの左方外側への移動であるか否か（既存の別ブロックのいずれか１つに着目したとき、そのブロックの左方外側への移動に該当するか否か）を判定する。移動先が既存の別ブロックの右方外側であればステップＳ６００の判定が満たされず（Ｓ６００：ＮＯ）、ステップＳ６１０に移行する。移動先が既存の別ブロックの左方外側であればステップＳ６００の判定が満たされ（Ｓ６００：ＹＥＳ）、ステップＳ６０５へ移行する。
【０１１７】
ステップＳ６１０では、制御回路２１０は、移動元のブロック位置より右側に位置し、かつ移動先のブロック位置より左側に位置する全ての既存のブロックを１ブロックずつ左側へずらして再配置し、後述のステップＳ６３０へ移行する。
【０１１８】
ステップＳ６０５では、制御回路２１０は、上記着目した１つの別ブロックに対し、移動元のブロック位置も左側に位置するか否かを判定する。移動元が左側に位置する場合にはステップＳ６０５の判定が満たされ、ステップＳ６１５に移行する。移動元が右側に位置する場合にはステップＳ６０５の判定が満たさず、後述のステップＳ６２０に移行する。
【０１１９】
ステップＳ６１５では、制御回路２１０は、移動元の部位より右側で、かつ移動先のブロック位置より左側の、全ての既存のブロックを１ブロックずつ左側へずらして再配置し、後述のステップＳ６３０へ移行する。
【０１２０】
ステップＳ６２０では、制御回路２１０は、移動先の部位より右側で、かつ移動元のブロック位置より左側の、全ての既存のブロックを１ブロックずつ右側へずらして再配置し、ステップＳ６３０へ移行する。
【０１２１】
ステップＳ６３０では、制御回路２１０は、上記ステップＳ６１０やステップＳ６２０でのずらし再配置により空いたスペースに、移動対象のブロックを、新たなブロックとして生成する。その後、後述のステップＳ２３へ移行する。
【０１２２】
＜ラベルイメージ表示＞
以上のようにしてステップＳ２２（又は上記ステップＳ３０又は上記ステップＳ３８又は上記ステップＳ４０）が終了した後、制御回路２１０は、ステップＳ２３で、液晶パネル５Ａに制御信号を出力し、上記ステップＳ３３０で再配置した変更後の姿のラベルイメージＭを液晶パネル５Ａに表示させる。このとき、表示されたラベルイメージＭは、制御回路２１０のラベルイメージメモリ２２０に一時的に記憶される。なお、このステップＳ２３を実行する制御回路２１０が、各請求項記載の第２イメージ生成手段として機能する。
【０１２３】
その後、ステップＳ２４で、制御回路２１０は、上記キーボード３や機能キー群４等を介し（あるいは上記端末等から）、ステップＳ２３で表示された変更後のラベルイメージＭを用いた印字ラベルの作成指示があったか否かの判定を行う。印字ラベルの作成指示があるまでは、ステップＳ２４の判定が満たされず（Ｓ２４：ＮＯ）、ループ待機する。印字ラベルの作成指示があった場合には、ステップＳ２４の判定が満たされ（Ｓ２４：ＹＥＳ）、ステップＳ２５に移る。
【０１２４】
ステップ２５では、制御回路２１０は、上記ステップＳ２３で表示したラベルイメージＭに対応した印字ラベルの作成処理を実行した後、このフローを終了する。なお、このステップＳ２５を実行する制御回路２１０が、各請求項記載の印刷制御手段として機能する。
【０１２５】
また、上記ステップＳ１７、ステップＳ１８、ステップＳ１９、ステップＳ２６、ステップＳ２７、ステップＳ２９、ステップＳ３１、ステップＳ３６、ステップＳ３７、ステップＳ３９、ステップＳ６００、ステップＳ７００を実行する制御回路２１０が、各請求項記載の移動操作判定手段として機能する。
【０１２６】
＜ラベル作成処理＞
上記ステップＳ２５のラベル作成処理の詳細手順を図２１を用いて説明する。
【０１２７】
図２１において、まず、ステップＳ１１０で、制御回路２１０は、ローラ駆動回路２０９に制御信号を出力し、ローラ駆動用モータ２０９の駆動を開始する。これにより、テープ送りローラ駆動軸１０８が回転駆動して送りローラ２７の回転が開始され、前述のように、カバーフィルム１０３、基材テープ１０１、及びこれらが貼り合わされた印字済みラベル用テープ１０９の搬送が開始される。その後、ステップＳ１２０に移る。
【０１２８】
ステップＳ１２０では、制御回路２１０は、カバーフィルム１０３の搬送方向位置が所定の印刷開始位置に達したかどうか否かを公知の手法で判定する。印刷開始位置に達していない場合は判定が満たされず（Ｓ１２０：ＮＯ）、ステップＳ１１０に戻って同様の手順を繰り返す。印刷開始位置に達したらステップＳ１２０の判定が満たされ（Ｓ１２０：ＹＥＳ）、ステップＳ１３０に移る。
【０１２９】
ステップＳ１３０では、制御回路２１０は、印刷駆動回路２０５に対し、上記図１４のステップＳ２３で表示したラベルイメージＭに基づく制御信号（印刷データ）を出力する。これにより、上記印刷データに対応してサーマルヘッド２３の発熱素子２３ａが駆動され、カバーフィルム１０３に対し、当該印刷データに対応した印字ＲＲの形成が開始される。その後、ステップＳ１４０に移る。
【０１３０】
ステップＳ１４０では、制御回路２１０は、カバーフィルム１０３の搬送方向位置が所定の印刷終了位置に達したかどうか否かを公知の手法で判定する。印刷終了位置に達していない場合は判定が満たされず（Ｓ１４０：ＮＯ）、ループ待機する。印刷終了位置に達したらステップＳ１４０の判定が満たされ（Ｓ１４０：ＹＥＳ）、ステップＳ１５０に移る。
【０１３１】
ステップＳ１５０では、制御回路２１０は、印刷駆動回路２０５に対して制御信号を出力し、上記印刷データに対応したサーマルヘッド２３の発熱素子２３ａの通電を停止し、印刷を終了させる。その後、ステップＳ１６０に移る。
【０１３２】
ステップＳ１６０では、制御回路２１０は、印字済みラベル用テープ１０９の搬送方向位置がテープ切断位置まで到達したか否かを公知の手法で判定する。テープ切断位置に到達するまでは判定が満たされず（Ｓ１６０：ＮＯ）ループ待機し、テープ切断位置に到達したらステップＳ１６０の判定が満たされ（Ｓ１６０：ＹＥＳ）、ステップＳ１７０に移る。
【０１３３】
ステップＳ１７０では、制御回路２１０は、ローラ駆動回路２０９に制御信号を出力し、ローラ駆動用モータ２０９の駆動を停止する。これにより、送りローラ２７の回転が停止し、カバーフィルム１０３、基材テープ１０１、及びこれらが貼り合わされた印字済みラベル用テープ１０９の搬送が停止する。その後、ステップＳ１８０に移る。
【０１３４】
ステップＳ１８０では、制御回路２１０は、カッタソレノイド駆動回路３００に制御信号を出力する。これにより、カッタソレノイド２８０が通電されて励磁され、カッタ４０が切断動作を行って、印字済みラベル用テープ１０９を所定の長さで切断する。その結果、操作者が編集したラベルイメージＭに基づく印字内容を有する印字ラベルが生成され、上記排出口１Ｂから筐体１Ａ外へと排出される。そして、このフローを終了する。
【０１３５】
＜実施形態の効果＞
以上説明したように、本実施形態の印字ラベル作成装置１では、操作者は、ラベルイメージＭが液晶パネル５Ａに表示された状態で、そのラベルイメージＭを見ながら、タッチパネル部５Ｂでの操作によって文字列やブロックを自らが意図する位置に移動させ、配置を修正することができる。この結果、操作者の利便性を向上することができる。
【０１３６】
また、本実施形態では特に、タッチパネル部５Ｂにおいて操作者が接触した文字列領域を包含する枠線Ｌ１が、液晶パネル５ＡのラベルイメージＭ内に表示される。これにより、上述のように行単位で文字列の配置の修正を行うとき、操作者は、自らが操作中の（言い替えれば移動可能な）文字列がどれであるかを、視覚的に明確に認識することができる。
【０１３７】
また、本実施形態では特に、タッチパネル部５Ｂにおいて操作者が接触したブロック領域を包含する枠線Ｌ２が、液晶パネル５ＡのラベルイメージＭ内に表示される。これにより、上述のようにブロックの配置の修正を行うとき、操作者は、自らが操作中の（言い替えれば移動可能な）ブロックがどれであるかを、視覚的に明確に認識することができる。
【０１３８】
なお、前述したように、ドラッグ操作による移動後も上記枠線Ｌ１や枠線Ｌ２を引き続き表示する場合には、上述のようにして文字列やブロックの配置の修正を行ったとき、修正された（言い替えれば移動した）文字列やブロックがどれであるかを、操作者が視覚的に明確に認識することができる。
【０１３９】
なお、本発明は、上記実施形態に限られるものではなく、その趣旨及び技術的思想を逸脱しない範囲内で種々の変形が可能である。以下、そのような変形例を順を追って説明する。
【０１４０】
（１）スマートフォン等の携帯操作端末に適用した場合
上記においては、印字ラベル作成装置１がタッチパネル部５Ｂを備え、図１４等のフローに表される制御手順を実行したが、これに限られない。すなわち、上記印字ラベル作成装置と同等（上記制御手順を除く）の構成のテープ印字装置を被操作装置とする操作端末を設け、当該操作端末側で、上記図１４等のフローに表される制御手順を実行するようにしても良い。
【０１４１】
すなわち、本変形例では、図２２に示すように、上記テープ印字装置に情報送受信可能に接続された（いわゆるスマートフォン等の）携帯操作端末５１０（操作端末に相当）が用いられる。この携帯操作端末５１０は、液晶パネル部５１３Ａ（表示部に相当）が設けられると共に、その直上に、上記液晶パネル部５１３Ａの表示内容を透かした状態で視認しつつ操作者が所望の操作入力を行える、タッチパネル部５１３Ｂ（操作部に相当）が配置されている。また、操作ボタン５１２も設けられている。そして、当該携帯操作端末に備えられた適宜の演算手段によって、上記図１４におけるステップＳ１０〜ステップＳ２３までの全手順による操作表示方法が実行される。その際、上記ステップＳ１０が各請求項記載の編集受付手順に相当し、ステップＳ１３を実行する上記演算手段が各請求項記載の検出手段として機能し、ステップＳ３３及びステップＳ１４が接触判定手順に相当し、ステップＳ３４、ステップＳ１２、ステップＳ１５が第１イメージ表示手順に相当し、ステップＳ２３が第２イメージ表示手順に相当し、ステップＳ１７、ステップＳ１８、ステップＳ１９、ステップＳ２６、ステップＳ２７、ステップＳ２９、ステップＳ３１、ステップＳ３６、ステップＳ３７、ステップＳ３９、ステップＳ６００、ステップＳ７００が、移動操作判定手順に相当する。
【０１４２】
そして、ステップＳ２４において上記タッチパネル部５１３Ｂ又は操作ボタン５１２を介した印刷指示がなされたら、ステップＳ２５に代えて設けられる手順（図示省略）において、携帯操作端末５１０から上記テープ印字装置へ、それまでに生成した印字データ（ステップＳ２４までの全手順で生成されたラベルイメージＭに対応）が送信され印刷指示が行われる。この手順が印字データ出力手順に相当する。これにより、当該印字データを受信したテープ印字装置１によって、当該印刷指示に含まれる印字データに対応した印字ラベルを作成することができる。
【０１４３】
以上のように、本変形例においては、携帯操作端末５１０からの操作により印字ラベルの作成処理を行う場合にも、本発明を適用することができ、同様の効果を得る。すなわち、操作者は、ラベルイメージＭが上記液晶パネル部５１３Ａに表示された状態で、そのラベルイメージＭを見ながら、タッチパネル部５１３Ｂでの操作によって文字列やブロックを自らが意図する位置に移動させ、配置を修正することができる。この結果、操作者の利便性を向上することができる。
【０１４４】
（２）テンプレートの編集に適用した場合
すなわち、本変形例においては、前述のタッチパネル部の接触操作による液晶パネル部でのブロックや文字列の移動手法を、印字ラベルに印字するテキストや画像等の内容を設定するために用いられるテンプレート（上記テキストや画像等の配置枠が所定の態様で割り付けられたもの）の編集に適用する。なお、本変形例においても、上記同様、液晶パネル部の直上に、表示内容を透かした状態で視認しつつ操作者が所望の操作入力を行えるタッチパネル部が配置されている構成（テープ印字装置又は操作端末）を用いて、上記編集が行われる。
【０１４５】
すなわち、例えば図２３に示す例のテンプレートＴＰ（図示及び詳細な説明を省略するが、液晶パネル部の適宜のテンプレート編集画面等にテンプレートイメージとして表示されている状態である）では、「上野テック工業」オブジェクトＯＪ１、「浅草太郎」オブジェクトＯＪ２、「(役職名の表記)」オブジェクトＯＪ３、「(住所の表記)」オブジェクトＯＪ３、の４つのオブジェクトが配置されている。本変形例では、上記同様、操作者によるタッチパネル部への接触部位に応じて、上記オブジェクトＯＪ１〜ＯＪ４のいずれかが移動可能単位として指定される。そして、上記同様の手法によって当該移動可能とされたオブジェクトが移動先に移動されることで、当該移動先にあるオブジェクトと入れ替えたり、移動先のオブジェクトの文字列の途中に挿入したり、移動先のオブジェクトに合体させたりすることができる。
【０１４６】
例えば図２３（ａ）に示す例では、「上野テック工業」オブジェクトＯＪ１、「浅草太郎」オブジェクトＯＪ２、「(役職名の表記)」オブジェクトＯＪ３、「(住所の表記)」オブジェクトＯＪ３、が、この順序で上段から下段へと配列されている。この状態で、操作者が、指先を、上記タッチパネル部のうち、上記テンプレートＴＰのイメージの下から２段目の「(役職名の表記)」オブジェクトＯＪ３に対応したオブジェクト領域に接触させる。その後、図２３（ｂ）に示すように、操作者が、上記オブジェクト領域に接触させた指先を、上記タッチパネル部のうち、「上野テック工業」オブジェクトＯＪ１に対応するオブジェクト領域と「浅草太郎」オブジェクトＯＪ２に対応するオブジェクト領域との間の、余白領域へと移動（いわゆるドラッグ操作）させる。すると、「(役職名の表記)」オブジェクトＯＪ３が、当該指先の動きに追従して上記「上野テック工業」オブジェクトＯＪ１に隣接する下側へと移動する。
【０１４７】
この結果、図２３（ｃ）に示すように、ラベルイメージＭの右側にあったブロック「７８」「９」が、「(役職名の表記)」オブジェクトＯＪ３が「上野テック工業」オブジェクトＯＪ１に隣接して下方に挿入される。これに対応して、上記「浅草太郎」オブジェクトＯＪ２は、もとの位置よりも下側へ移動するので、結果的に、「(役職名の表記)」オブジェクトＯＪ３と「浅草太郎」オブジェクトＯＪ２とが、互いに位置が入れ替わった態様の、新たなテンプレートＴのイメージが表示される。
【０１４８】
上記図２３は、テンプレートイメージについて、上記図１１と同様の手法をテンプレートＴＰに適用した場合を例にとって説明したが、これに限られず、上記図６〜図１０、図１２、図１３の手法を適用してもよい。これらの場合も、前述と同様の効果を得る。
【０１４９】
なお、本変形例においては、テンプレートにおける各オブジェクトが位置座標をそれぞれ備えており、上記タッチパネル部での操作による移動により、それら位置座標が所望の値に変更されることで、自由にオブジェクト配置を変更可能となっている。
【０１５０】
なお、以上において、図５中に示す矢印は信号の流れの一例を示すものであり、信号の流れ方向を限定するものではない。
【０１５１】
（３）その他
なお、図１４〜図１７に示すフローチャートは本発明を上記フローに示す手順に限定するものではなく、発明の趣旨及び技術的思想を逸脱しない範囲内で手順の追加・削除又は順番の変更等をしてもよい。
【０１５２】
また、以上既に述べた以外にも、上記実施形態や各変形例による手法を適宜組み合わせて利用しても良い。
【０１５３】
その他、一々例示はしないが、本発明は、その趣旨を逸脱しない範囲内において、種々の変更が加えられて実施されるものである。
【符号の説明】
【０１５４】
１                印字ラベル作成装置（テープ印字装置）
５Ａ              液晶パネル（表示部）
５Ｂ              タッチパネル部（操作部）
２３              サーマルヘッド（印字手段）
１０３            カバーフィルム（被印字テープ）
１０８            テープ送りローラ駆動軸（搬送手段）
Ｌ１              第１枠線
Ｌ２              第２枠線
Ｍ                ラベルイメージ（印刷物イメージ）
【図１】
2014133370.tif 000003
【図２】
2014133370.tif 000004
【図３】
2014133370.tif 000005
【図４】
2014133370.tif 000006
【図５】
2014133370.tif 000007
【図６】
2014133370.tif 000008
【図７】
2014133370.tif 000009
【図８】
2014133370.tif 000010
【図９】
2014133370.tif 000011
【図１０】
2014133370.tif 000012
【図１１】
2014133370.tif 000013
【図１２】
2014133370.tif 000014
【図１３】
2014133370.tif 000015
【図１４】
2014133370.tif 000016
【図１５】
2014133370.tif 000017
【図１６】
2014133370.tif 000018
【図１７】
2014133370.tif 000019
【図１８】
2014133370.tif 000020
【図１９】
2014133370.tif 000021
【図２０】
2014133370.tif 000022
【図２１】
2014133370.tif 000023
【図２２】
2014133370.tif 000024
【図２３】
2014133370.tif 000025